(57)【特許請求の範囲】
【請求項１】
平板形状を有し、平面に略直交する方向に作用する外力を検出する導電性ゴムが、内部に複数配された第１の測定部と、
前記第１の測定部と略等しい外形寸法を有し、平面に略直交する方向に作用する外力を検出する導電性ゴムが内部に複数配された、前記第１の測定部とは別体の第２の測定部と、
前記第１の測定部と前記第２の測定部とにより同一平面が形成されるように、前記第１の測定部の側面と前記第２の測定部の側面とを接続する接続部材と、を備える体重計であって、
前記接続部材は、前記第１の測定部と前記第２の測定部とにより同一平面が形成されたことを検知するための検知手段を含み、
前記体重計は、
前記体重計の周辺温度を測定する温度測定手段と、
前記第１の測定部と第２の測定部とにまたがって被検者が載ったことにより、前記第１及び第２の測定部に配された導電性ゴムにおいてそれぞれ検出された外力を、前記第１の測定部と前記第２の測定部とにより同一平面が形成されるように前記接続部材により前記第１の測定部の側面と前記第２の測定部の側面とが接続されたことが前記検知手段によって検知され、かつ前記温度測定手段により周辺温度が測定されたことを条件として、取得する取得手段と、
前記取得手段により取得されたそれぞれの外力を、前記測定された周辺温度を用いて補正することにより、それぞれの導電性ゴムごとに、重さデータを算出する補正手段と、
前記補正手段により算出されたそれぞれの導電性ゴムごとの重さデータに基づいて、前記被検者の体重データ、前記被検者の一方の足にかかる体重データ、および、前記被検者の他方の足にかかる体重データを算出する体重データ算出手段と、
前記被検者の体重データ、前記被検者の一方の足にかかる体重データ、および、前記被検者の他方の足にかかる体重データを表示する表示手段と
を備えることを特徴とする体重計。
【請求項２】
前記第１の測定部の側面と前記第２の測定部の側面とはヒンジ機構を介して回動可能に接続されており、前記接続部材は、前記第１の測定部と前記第２の測定部との間の角度が、１８０度以下となるように、前記第１の測定部と前記第２の測定部との間の回動範囲を規制していることを特徴とする請求項１に記載の体重計。
【請求項３】
前記体重データ算出手段は、
前記補正手段により算出されたそれぞれの導電性ゴムについての重さデータのうち、第１の測定部に配された導電性ゴムについての重さデータを加算することで、前記被検者の一方の足にかかる体重データを算出し、
前記補正手段により算出されたそれぞれの導電性ゴムについての重さデータのうち、第２の測定部に配された導電性ゴムについての重さデータを加算することで、前記被検者の他方の足にかかる体重データを算出する
ことを特徴とする請求項１に記載の体重計。
【請求項４】
前記補正手段により算出されたそれぞれの導電性ゴムについての重さデータと、該導電性ゴムの相対位置を示す位置情報とに基づいて、被検者の重心位置を算出する重心位置算出手段を更に備えることを特徴とする請求項１に記載の体重計。
【請求項５】
前記補正手段により算出されたそれぞれの導電性ゴムについての重さデータのうち、第１の測定部に配された導電性ゴムについての重さデータと、該第１の測定部における導電性ゴムの位置を示す位置情報とに基づいて、被検者の一方の足の重心位置を算出し、
前記補正手段により算出されたそれぞれの導電性ゴムについての重さデータのうち、第２の測定部に配された導電性ゴムについての重さデータと、該第２の測定部における導電性ゴムの位置を示す位置情報とに基づいて、被検者の他方の足の重心位置を算出する片足重心位置算出手段を更に備えることを特徴とする請求項１に記載の体重計。
【請求項６】
平板形状を有し、平面に略直交する方向に作用する外力を検出する導電性ゴムが、内部に複数配された第１の測定部と、
前記第１の測定部と略等しい外形寸法を有し、平面に略直交する方向に作用する外力を検出する導電性ゴムが内部に複数配された、前記第１の測定部とは別体の第２の測定部と、
前記第１の測定部と前記第２の測定部とにより同一平面が形成されるように、前記第１の測定部の側面と前記第２の測定部の側面とを接続する接続部材と、を備える体重計であって、
前記接続部材は、前記第１の測定部と前記第２の測定部とにより同一平面が形成されたことを検知するための検知手段を含み、
前記体重計は、
前記体重計の周辺温度を測定する温度測定手段と、
前記第１の測定部と第２の測定部とにまたがって被検者が載ったことにより、前記第１及び第２の測定部に配された導電性ゴムにおいてそれぞれ検出された外力を、前記第１の測定部と前記第２の測定部とにより同一平面が形成されるように前記接続部材により前記第１の測定部の側面と前記第２の測定部の側面とが接続されたことが前記検知手段によって検知されたことを条件として、取得する取得手段と、
前記取得手段により取得されたそれぞれの外力を、前記温度測定手段によって測定された周辺温度を用いて補正することにより、それぞれの導電性ゴムごとに、重さデータを算出する補正手段と、
前記補正手段により算出されたそれぞれの導電性ゴムごとの重さデータに基づいて、前記被検者の体重データ、前記被検者の一方の足にかかる体重データ、および、前記被検者の他方の足にかかる体重データを算出する体重データ算出手段と、
前記被検者の体重データ、前記被検者の一方の足にかかる体重データ、および、前記被検者の他方の足にかかる体重データを表示する表示手段と
を備えることを特徴とする体重計。
【発明の詳細な説明】
【技術分野】
【０００１】
本発明は、体重計に関するものである。
【背景技術】
【０００２】
近年、健康指向の高まりに伴って、日々の体重管理を積極的に行う人が増えてきている。このため、体重計の分野では、測定した体重データを管理・分析するための様々な機能が搭載された体重計が提案されている（例えば、下記特許文献１、２参照）。
【０００３】
一方で、体重管理を厳格に行うためには、毎日欠かすことなく、同じ時間に同じ体重計を用いて体重測定を行うことが重要となってくる。しかしながら、出張や旅行等で長期間不在となる場合に、出張先や旅行先にまで体重計を持ち込んで体重管理を行うことは稀であり、体重測定は途切れがちとなる。このような場合に、持ち運びが可能な体重計があれば、出張や旅行等の有無に関わらず、体重測定を継続的に行うことができるようになると期待される。
【０００４】
一方、医療の分野においても、日々の体重管理が不可欠な患者がいる。具体的には、腎臓が正常に機能しない患者（透析患者）等が挙げられる。
【０００５】
透析患者の場合、尿による老廃物の体外への排出ができないため、老廃物が次第に身体内に蓄積されていくこととなる。このため、定期的に血液透析（ＨＤ）または腹膜透析（ＰＤ）を行うことで、老廃物を体外に除去しておく必要がある（腹膜透析の場合には、１日に少なくとも２回の透析を行う必要がある）。
【０００６】
このような透析患者（特に、腹膜透析の患者）に対しては、医師によって透析患者ごとに理想的な体重が設定されている。これは、透析患者の場合、尿により老廃物の排出がなされないことに伴って、体内に存在する水の量が次第に増加し、時間の経過とともに体重が増加してしまうからである。
【０００７】
そして、実際の体重である現体重から理想的な体重を差し引いて得られる体重超過量が一定値以上になると、血圧低下等の症状が発現することとなることから、透析患者に対しては、そのような症状が現れる前に予め人工透析を行い、体内に蓄積された水及び老廃物を体外に除去することとしている。
【０００８】
つまり、透析患者に対して人工透析を実施するタイミングは、体重測定の結果に基づいて決定している。このため、透析患者の場合、定期的に体重測定を行い、体重超過量が一定値以上になっていないかを常にチェックしておく必要がある。
【０００９】
しかしながら、透析患者の体重管理は、通常は自宅又は病院等にある体重計を使用して行うことができるが、自宅や病院以外の場所で社会的活動を行う場合においては、直ちに利用可能な体重計が身近にないため、体重管理を行うことができないといった事態が生じえる。一方で、このような場合であって、持ち運びが可能な体重計があれば、透析患者も不自由なく社会的活動に参加できるようになるものと期待される。
【先行技術文献】
【特許文献】
【００１０】
【特許文献１】特開２００９−８６１３号公報
【特許文献２】実開昭６３−９９２３４号公報
【発明の概要】
【発明が解決しようとする課題】
【００１１】
しかしながら、従来より、体重計はある程度の大きさと重量を有するとの固定観念があり、これまで、体重計の分野においては、持ち運びを前提とした利便性（軽量化、小型化等）について追及されることが少なかった。
【００１２】
本発明は上記課題に鑑みてなされたものであり、持ち運びに適した体重計を提供することを目的とする。
【課題を解決するための手段】
【００１３】
本発明の１つの側面に係る体重計は、平板形状を有し、平面に略直交する方向に作用する外力を検出する導電性ゴムが、内部に複数配された第１の測定部と、前記第１の測定部と略等しい外形寸法を有し、平面に略直交する方向に作用する外力を検出する導電性ゴムが内部に複数配された、前記第１の測定部とは別体の第２の測定部と、前記第１の測定部と前記第２の測定部とにより同一平面が形成されるように、前記第１の測定部の側面と前記第２の測定部の側面とを接続する接続部材と、を備える体重計であって、前記接続部材は、前記第１の測定部と前記第２の測定部とにより同一平面が形成されたことを検知するための検知手段を含み、前記体重計は、前記体重計の周辺温度を測定する温度測定手段と、前記第１の測定部と第２の測定部とにまたがって被検者が載ったことにより、前記第１及び第２の測定部に配された導電性ゴムにおいてそれぞれ検出された外力を、前記第１の測定部と前記第２の測定部とにより同一平面が形成されるように前記接続部材により前記第１の測定部の側面と前記第２の測定部の側面とが接続されたことが前記検知手段によって検知され、かつ前記温度測定手段により周辺温度が測定されたことを条件として、取得する取得手段と、前記取得手段により取得されたそれぞれの外力を、前記測定された周辺温度を用いて補正することにより、それぞれの導電性ゴムごとに、重さデータを算出する補正手段と、前記補正手段により算出されたそれぞれの導電性ゴムごとの重さデータに基づいて、前記被検者の体重データ、前記被検者の一方の足にかかる体重データ、および、前記被検者の他方の足にかかる体重データを算出する体重データ算出手段と、前記被検者の体重データ、前記被検者の一方の足にかかる体重データ、および、前記被検者の他方の足にかかる体重データを表示する表示手段とを備える。
【発明の効果】
【００１４】
本発明によれば、持ち運びに適した体重計を提供することが可能となる。
【図面の簡単な説明】
【００１５】
【図１】本発明の第１の実施形態に係る体重計１００の外観構成を示す図である。
【図２】体重計１００の測定面の構成を示す図である。
【図３】体重計１００のモード遷移を示す図である。
【図４】体重計１００の機能構成を示す図である。
【図５】制御部４０５の機能構成を示す図である。
【図６】重さデータ補正部５０４において用いられる校正データの一例を示す図である。
【図７】体重計１００における体重測定処理の流れを示すフローチャートである。
【図８】表示部１２３における表示例を示す図である。
【発明を実施するための形態】
【００１６】
以下、必要に応じて添付図面を参照しながら本発明の各実施形態を詳細に説明する。
【００１７】
［第１の実施形態］
＜１．体重計の外観構成＞
図１は、本発明の第１の実施形態に係る体重計１００の外観構成を示す図である。図１（Ａ）に示すように、体重計１００は、互いにほぼ同一の外形寸法を有し、それぞれ縦長の平板形状からなる第１及び第２の測定部１１０、１２０を備える。
【００１８】
第１の測定部１１０と第２の測定部１２０とは、それぞれ長辺側の一方の側面において、回動可能に接続されている。具体的には、第１の測定部１１０の側面１１１と、該第１の測定部１１０と略等しい外形寸法を有する第２の測定部１２０の側面１２１とが、ヒンジ機構１３１〜１３３を介して接続されており、これにより、第２の測定部１２０は、第１の測定部１１０に対して矢印１３０方向に開閉可能（折り畳み可能）となっている。
【００１９】
第２の測定部１２０は第１の測定部１１０に対して最大１８０度まで開くよう構成されており、最大角度まで開いた状態において、第１の測定部１１０と第２の測定部１２０とは、同一平面を形成する（図１（Ｂ）参照）。
【００２０】
なお、ヒンジ機構１３１〜１３３のうち、ヒンジ機構１３１には、第１の測定部１１０と第２の測定部１２０とを電気的に接続するための配線が内挿されているものとする。これにより、第１の測定部１１０と第２の測定部１２０との間での信号の送受信が可能となっている。
【００２１】
また、第１の測定部１１０の側面１１１と第２の測定部１２０の側面１２１には、それぞれ、最大角度（１８０度）まで開いた状態において互いが対向して配されるように構成された、矩形状の接続部１３４及び１３５が配されている。
【００２２】
接続部１３４及び１３５は、それぞれマグネット等の部材により構成されており、最大角度まで開いた状態において対向する面と面とが吸着するように構成されている。これにより、第２の測定部１２０は、第１の測定部１１０に対して最大角度まで開いた状態を安定して維持することができる。
【００２３】
更に、接続部１３４及び１３５は、第２の測定部１２０が第１の測定部１１０に対して最大角度まで開いた状態においてそれぞれ電気的にも接続されるように構成されており、最大角度まで開いた状態となったことを検知する接点としての機能も果たしている。
【００２４】
図１（Ｂ）は、第２の測定部１２０が第１の測定部１１０に対して最大角度まで開いた様子を示している。
【００２５】
図１（Ｂ）において、第１の測定部１１０の測定面１１２は、被検者が体重を測定する際に、右足を載せる面である。一方、第２の測定部１２０の測定面１２２は、被検者が体重を測定する際に、左足を載せる面である。このため、測定面１１２、１２２は、被検者のそれぞれの足が載置可能な大きさを有しており、本実施形態においては、例えば、ｌ＝３００ｍｍ、ｗ＝１００ｍｍとなっている。
【００２６】
なお、測定面１１２、１２２は内部に導電性ゴム１４１〜１４８が配されており（詳細は、図２を用いて後述）、それぞれの面に足を載せることで下向きにかかる外力を検出する（本実施形態においては、それぞれの測定面１１２、１２２が２０〜５０ｋｇの荷重に対応しているものとする）。このように、体重を検出するためのセンサとして、導電性ゴム１４１〜１４８を配する構成とすることで、測定面１１２、１２２の厚さｈを薄くすることができる（本実施形態に係る体重計１００の場合、ｈ＝５〜３０ｍｍ程度となっている）。
【００２７】
また、操作部１１３には、体重計１００に対して種々の指示を入力するための各種ボタンが配されている。操作部１１３において、測定モードボタン１１４は体重を測定するためのボタンであり、測定モードボタン１１４が押圧されることで体重計１００は測定モードに移行する。
【００２８】
表示モードボタン１１５は、過去の体重測定における体重データの履歴や、体重測定時の重心位置等のデータを表示させるためのボタンであり、表示モードボタン１１５が押圧されることで体重計１００は表示モードに移行する。
【００２９】
データ送信モードボタン１１６は、表示モードにおいて表示可能なデータを外部装置（不図示のパソコンや携帯電話等）に送信するためのボタンであり、データ送信モードボタン１１６が押圧されることで、体重計１００はデータ送信モードに移行する。
【００３０】
ゼロ点調整ボタン１１７は、体重計のゼロ点調整を行うためのボタンであり、測定面１１２、１２２に何も載置されていない状態でゼロ点調整ボタン１１７が押圧されることで、体重計１００は、体重の指示値がゼロとなるように自動調整される。
【００３１】
矢印キー及び決定キー１１８は、表示部１２３上に表示されたカーソルを上下左右に動作させたり、カーソルの位置に表示された表示内容を選択したりするためのキーである。
【００３２】
表示部１２３は、測定モードにあっては測定された体重データを表示し、表示モードにあっては、過去の体重測定における体重データの履歴や体重測定時の重心位置等を表示する。
【００３３】
電源スイッチ１５１は、体重計１００の電源をＯＮ／ＯＦＦするのに用いられる。コネクタ１５２は、各種データを外部装置（不図示のパソコンや携帯電話等）に送信するためのケーブルが接続される。
【００３４】
＜２．体重計の測定面の構成及びセンサの検出原理＞
次に体重計１００の測定面１１２、１２２の構成及び測定面１１２、１２２内に体重を検出するためのセンサとして配された導電性ゴム１４１〜１４８における外力の検出原理について説明する。
【００３５】
図２は、体重計１００の測定面１２２の構成及び導電性ゴム１４８における外力の検出原理を説明するための図である。
【００３６】
図２に示すように、測定面１２２には、所定の材質からなる矩形平板２０１（例えば、厚さ３ｍｍのアクリル板）と矩形平板２０２との間に、導電性ゴム１４５〜１４８が、測定面１２２の各頂点近傍に配されている。なお、それぞれの導電性ゴム１４５〜１４８は、１辺約１０ｍｍの矩形平板により形成されているものとする。
【００３７】
ここで、導電性ゴムとは、絶縁性の弾性高分子（ゴム）中に導電粒子を分散させることで構成されるものであり、外力がない状態では、導電粒子が互いに接触していないため電流が流れないが、外力が作用すると粒子同士の接触が生じるため電流が流れる、という特性を有している。
【００３８】
そして、外力の大きさに比例して電流値が変化するため、印加する電圧を一定にし、外力が作用した際の当該抵抗値の変化を計測することで外力の大きさを求めることができる。
【００３９】
なお、抵抗値の変化を計測するための計測方法としては、導電性ゴムの同一平面上に２つの電極を配する方法と、導電性ゴムの表／裏面上にそれぞれ１つずつ電極を配する方法とがあるが、本実施形態に係る体重計１００では、導電性ゴムの表／裏面上にそれぞれ１つずつ電極を配する方法を採用するものとする。
【００４０】
部分拡大表示２１０は導電性ゴム１４８において、外力が作用した際の抵抗値の変化を計測するための構成を模式的に示したものである。電極２１１、２１２は、導電性ゴム１４８の表／裏面上にそれぞれ１つずつ配されている。電源２１３は一定電圧を供給するよう構成されている。
【００４１】
かかる構成のもとで、外力が矢印２１４方向（導電性ゴム１４８の平面に略直交する方向）に作用すると、電極２１１と電極２１２との間に矢印２１５方向に電流が流れる。なお、本実施形態に係る体重計１００では、導電性ゴム１４８に対して、既知の外力を作用させた場合の抵抗値の変化量を予め測定されており、テーブルデータとして格納されているものとする。そして、体重計１００では、体重測定時に当該テーブルデータを参照することにより、導電性ゴム１４８に作用した外力を求めている。
【００４２】
なお、ここでは、導電性ゴム１４８についてのみ説明したが、他の導電性ゴム１４１〜１４７についても同様の構成を有しているものとする。また、図２では、測定面１２２について説明したが、測定面１１２についても同様の構成を有しているものとする。
【００４３】
したがって、測定面１１２に配された導電性ゴム１４１〜１４４それぞれの抵抗値の変化量と、測定面１２２に配された導電性ゴム１４５〜１４８のそれぞれの抵抗値の変化量とを加算することにより、測定面１１２及び１２２に作用した外力の合計（すなわち、被検者の体重データ）を算出することができる。
【００４４】
＜３．体重計におけるモード遷移＞
次に、体重計１００におけるモードの遷移について図３を用いて説明する。上述したように、本実施形態に係る体重計１００は、「測定モード」と「表示モード」と「データ送信モード」とを有しており、電源スイッチ１５１を押圧した直後には、測定モードが起動するよう構成されている。
【００４５】
図３に示すように、測定モード中に、表示モードボタン１１５が押圧されると、表示モードに移行する。反対に、表示モードに移行した状態で、測定モードボタン１１４が押圧されると、測定モードに戻る。
【００４６】
また、測定モード中に、データ送信モードボタン１１６が押圧されると、データ送信モードに移行する。なお、データ送信モードボタン１１６が押圧されていない場合であっても、外部装置（パソコンや携帯電話等）に送信するためのケーブルがコネクタ１５２に差し込まれ、体重計１００と外部装置との間で通信接続が成立した場合には、自動的にデータ送信モードに移行する。また、データ送信モードに移行した状態で測定モードボタン１１４が押圧されると、測定モードに戻る。
【００４７】
更に、表示モード中に、データ送信モードボタン１１６が押圧されると、データ送信モードに移行する。なお、データ送信モードボタン１１６が押圧されていない場合であっても、外部装置（パソコンや携帯電話等）に送信するためのケーブルがコネクタ１５２に差し込まれ、体重計１００と外部装置との間で通信接続が成立した場合には、自動的にデータ送信モードに移行する。また、データ送信モードに移行した状態で表示モードボタン１１５が押圧されると、表示モードに戻る。
【００４８】
＜４．体重計の機能構成＞
次に体重計１００の機能構成について説明する。図４は体重計１００の機能構成を示す図である。なお、図１を用いて既に説明済みの構成については、同一の参照番号を付すこととし、ここでは説明を省略する。
【００４９】
図４において、増幅部４０１は、導電性ゴム１４１〜１４４から出力された電流値をそれぞれ増幅し、Ａ／Ｄ変換した後に、重さデータとして制御部４０５に入力する。同様に、増幅部４０２は、導電性ゴム１４５〜１４８から出力された電流値をそれぞれ増幅し、Ａ／Ｄ変換した後に、重さデータとして制御部４０５に入力する。
【００５０】
温度センサ（温度測定手段）４０８は、体重計１００の周辺環境の温度を検出する。増幅部４０３は、温度センサ４０８から出力された温度信号を増幅し、Ａ／Ｄ変換した後に温度データとして制御部４０５に入力する。
【００５１】
電源部４０４は、電源スイッチ１５１によりＯＮ／ＯＦＦが制御され、電源スイッチ１５１の操作によりＯＮになると、制御部４０５を介して各部に電源を供給する。
【００５２】
制御部４０５は、体重計１００を構成する各部を制御する。なお、制御部４０５において実現される各種機能の詳細については後述する。
【００５３】
メモリ部４０６は、制御部４０５において算出された被検者の体重データ等を格納する。インタフェース部４０７はコネクタ１５２を含み、コネクタ１５２を介して接続される外部装置に対して、メモリ部４０６に格納された体重データ等を送信したり、外部装置から所定の指示を受信したりする。
【００５４】
＜５．測定モードにおける制御部の機能＞
次に、測定モードにおいて制御部４０５にて実現される各種機能について図５を用いて説明する。図５において、全体統轄部５０１は、測定モードにおいて体重測定を行う際に実行される各部（５０２〜５１２）の動作を制御する。
【００５５】
接続状態確認部５０２は、全体統轄部５０１からの指示に基づいて、接続部１３４、１３５が接続されているか否かを確認し、確認結果を全体統轄部５０１に送信する。
【００５６】
重さデータ入力部５０３は、全体統轄部５０１からの指示に基づいて、増幅部４０１及び４０２より出力される各重さデータを取得する。温度データ入力部５１１は、全体統轄部５０１からの指示に基づいて、増幅部４０３より出力される温度データを取得する。温度算出部５１２は、温度データ入力部５１１において取得された温度データに基づいて、体重計１００の周辺の温度値を算出する。
【００５７】
重さデータ補正部５０４は、重さデータ入力部５０３において取得された各重さデータ（導電性ゴム１４１〜１４８それぞれの重さデータ）を、温度算出部５１２において算出された温度値に基づいて補正する。
【００５８】
ここで、重さデータの温度補正について図６を用いて説明する。図６は、基準となる既知の重量の校正用ブロックを導電性ゴム１４１〜１４８それぞれに個別に載置した場合に出力されるそれぞれの重さデータと、周辺温度との関係を示す図である。図６に示すように、導電性ゴム１４１〜１４８からの出力は、周辺温度に依存して変化する（校正データ参照）。このため、体重測定の精度を向上させるためには、周辺温度の変化に応じて、重さデータを補正することが必要となってくる。
【００５９】
そこで、本実施形態に係る体重計１００では、基準値（校正用ブロックの規定の重量）と、現在温度における校正データの値との差異に基づいて、重さデータ入力部５０３において取得された各重さデータについて温度補正を行っている。
【００６０】
図５に戻る。体重算出部５０５は、重さデータ補正部５０４において温度補正された各重さデータ（導電性ゴム１４１〜１４８それぞれの重さデータ）を加算することにより、被検者の体重データを算出する。また、導電性ゴム１４１〜１４４それぞれの重さデータを加算することにより、体重測定時に被検者の右足にかかっている体重データ（右足側体重データ）を算出する。更に、導電性ゴム１４５〜１４８それぞれの重さデータを加算することにより、体重測定時に被検者の左足にかかっている体重データ（左足側体重データ）を算出する。
【００６１】
重心Ａ算出部５０６は、測定面１１２に配された導電性ゴム１４１〜１４４それぞれの重さデータと、導電性ゴム１４１〜１４４の測定面１１２内での位置を示す位置座標とに基づいて、測定面１１２に載置された右足の重心位置データを算出する。
【００６２】
重心Ｂ算出部５０７は、測定面１２２に配された導電性ゴム１４５〜１４８それぞれの重さデータと、導電性ゴム１４５〜１４８の測定面１２２内での位置を示す位置座標とに基づいて、測定面１２２に載置された左足の重心位置データを算出する。
【００６３】
重心ＡＢ算出部５０８は、測定面１１２及び１２２に配された導電性ゴム１４１〜１４８それぞれの重さデータと、導電性ゴム１４１〜１４８の相対位置関係とに基づいて、体重測定時の被検者の重心位置データを算出する。
【００６４】
測定データ制御部５０９は、体重算出部５０５〜重心ＡＢ算出部５０８にてそれぞれ算出された、被検者の体重データ、被検者の右足側体重データ、被検者の左足側体重データ、被検者の右足の重心位置データ、被検者の左足の重心位置データ、被検者の重心位置データを、メモリ部４０６に書きこむとともに、被検者の体重データ、被検者の右足側体重データ、被検者の左足側体重データをそれぞれ表示部１２３に表示する。
【００６５】
＜６．体重計における体重測定処理の流れ＞
次に、全体統轄部５０１において制御される、体重計１００における体重測定処理の流れについて説明する。図７は、体重計１００における体重測定処理の流れを示すフローチャートである。
【００６６】
電源スイッチ１５１がＯＮされると、あるいは測定モードボタン１１４が押下されると、図７に示す体重測定処理が開始される。
【００６７】
ステップＳ７０１では、全体統轄部５０１が、接続状態確認部５０２に対して、接続部１３４、１３５が接続されているか否かを問い合わせる。接続状態確認部５０２より、接続部１３４、１３５が接続されていることが確認できた旨の確認結果が送られた場合には、ステップＳ７０２に進む。
【００６８】
一方、接続されていることが確認できなかった旨の確認結果が送られた場合には、ステップＳ７０９に進む。ステップＳ７０９では、表示部１２３に、第２の測定部１２０が第１の測定部１１０に対して最大角度まで開いた状態となっていないことを示すエラーメッセージを表示する。
【００６９】
ステップＳ７０２では、全体統轄部５０１が、温度データ入力部５１１に対して、温度データを取得するよう指示する。これにより、温度データ入力部５１１では温度データの取得を開始することで、温度計測が開始される。
【００７０】
ステップＳ７０３では、全体統轄部５０１が、温度算出部５１２における周辺の温度値の算出が完了したか否かを判定する。温度算出部５１２における周辺の温度値の算出が完了したと判定した場合には、温度計測が完了したと判断し、ステップＳ７０４に進む。
【００７１】
ステップＳ７０４では、全体統轄部５０１が、重さデータ入力部５０３に対して、重さデータを取得するよう指示する。これにより、重さデータ入力部５０３では導電性ゴム１４１〜１４８それぞれの重さデータの取得を開始する。
【００７２】
重さデータ入力部５０３により、重さデータの取得が開始された場合には、ステップＳ７０５に進み、全体統轄部５０１が重さデータ補正部５０４に対して、取得された重さデータの温度補正を指示する。これにより、重さデータ補正部５０４では、取得された重さデータを、温度算出部５１２において算出された温度値に基づいて温度補正する。なお、補正内容は、図６を用いて説明済みであるため、ここでは説明を省略する。
【００７３】
重さデータ補正部５０４により、重さデータの温度補正が開始された場合には、ステップＳ７０６に進み、全体統轄部５０１が体重算出部５０５〜重心ＡＢ算出部５０８に対して、被検者の体重データ、被検者の右足側体重データ、被検者の左足側体重データ、被検者の右足の重心位置データ、被検者の左足の重心位置データ、被検者の重心位置データの算出を指示する。
【００７４】
体重算出部５０５〜重心ＡＢ算出部５０８においてそれぞれのデータの算出が完了した場合には、ステップＳ７０７に進み、全体統轄部５０１が、測定データ制御部５０９に対して、算出結果として、被検者の体重データ、被検者の右足側体重データ、被検者の左足側体重データを表示するよう指示する。これにより、測定データ制御部５０９では、表示部１２３にこれらのデータを表示する。
【００７５】
更に、ステップＳ７０８では、重さデータ補正部５０４において温度補正された重さデータが、予め定められた時間、予め定められた変動幅の範囲内に入っているか否かを監視し、算出結果が安定しているか否かの判定を行う。
【００７６】
ステップＳ７０８において算出結果が安定していると判定された場合には、ステップＳ７０９に進み、全体統轄部５０１が、当該安定していると判定された時間帯において算出された、被検者の体重データ、被検者の右足側体重データ、被検者の左足側体重データ、被検者の右足の重心位置データ、被検者の左足の重心位置データ、被検者の重心位置データを、メモリ部４０６に格納するよう、測定データ制御部５０９に指示する。
【００７７】
測定データ制御部５０９では、当該安定していると判定された時間帯において算出された、被検者の体重データ、被検者の右足側体重データ、被検者の左足側体重データ、被検者の右足の重心位置データ、被検者の左足の重心位置データ、被検者の重心位置データを、測定日時と対応付けてメモリ部４０６に格納する。
【００７８】
＜７．表示部における表示＞
次に、表示部１２３において表示される表示内容について説明する。図８は表示部１２３に表示される表示内容の一例を示す図である。
【００７９】
図８（Ａ）は、測定モードにおいて算出結果として表示された表示内容の一例である。図８（Ａ）に示すように、表示部１２３の右上領域８０１には、被検者の右足側体重データ（“３０．０ｋｇ”）が表示される。また、表示部１２３の左上領域８０２には、被検者の左足側体重データ（“２８．５ｋｇ”）が表示される。更に、表示部１２３の中央領域８０３には、被検者の体重データ（“５８．５ｋｇ”）が表示される。
【００８０】
なお、表示部１２３の下端において、電源マーク８０４は体重計１００の電源部４０４の電源容量を表すマークである。また、接続マーク８０５は接続部１３４、１３５が接続されていることを表すマークである。更に、日時マーク８０６は現在の日時を表している。
【００８１】
図８（Ｂ）は、表示モードにおいて、メモリ部４０６に格納された被検者の右足の重心位置データ、被検者の左足の重心位置データ、被検者の重心位置データを、表示部１２３に表示させた様子を示している。
【００８２】
図８（Ｂ）において、外縁８１１、８１２はそれぞれ測定面１１２、１２２の外縁を示している。また、重心位置８１３は被検者の右足の重心位置を、重心位置８１４は被検者の左足の重心位置を、重心位置８１５は被検者の重心位置をそれぞれ示している。
【００８３】
また、図８（Ｃ）は、表示モードにおいて、メモリ部４０６に測定日時とともに格納された被検者の体重データを、表示部１２３に表示させた様子を示している。図８（Ｃ）において、横軸は日付を縦軸は被検者の体重データを表している。このように、日付と対応付けて表示させることで、被検者は過去の体重測定における体重データの変遷を容易に知ることができる。
【００８４】
なお、表示モードにおいて表示部１２３に表示させる表示内容は、表示部１２３に表示されるメニューリスト（不図示）から、矢印キー及び決定キー１１８を用いてカーソルを動かし、所望の表示メニューを選択することにより決定されるものとする。
【００８５】
以上の説明から明らかなように、本実施形態に係る体重計１００では、
・測定部のセンサとして導電性ゴムを用いる構成とした。
・２つの別体の測定部を開閉可能（折り畳み可能）に接続する構成とした。
【００８６】
これにより、軽量化と薄型化を実現するとともに、小型化を実現することが可能となり、持ち運びの際の利便性を向上させることが可能となった。この結果、日々の体重管理を積極的に行う人や透析患者等、体重測定を継続的に行いたい人にとって最適な体重計を提供することが可能となった。
【００８７】
また、本実施形態に係る体重計１００では、
・導電性ゴムの温度依存性を考慮し、体重測定時に周辺環境の温度値を算出し、重さデータを温度補正する構成とした。
【００８８】
これにより、体重測定の測定精度の向上を実現することが可能となった。
【００８９】
また、本実施形態に係る体重計１００では、
・第１の測定部と第２の測定部との開閉角度により測定データの再現性が低下することを考慮し、接続部を設け、最大角度まで開いた状態を安定して維持できる構成とした。
・少なくとも接続部が接続されていることを条件として、重さデータの取得を開始する構成とした。
【００９０】
これにより、測定誤差の低減を実現することが可能となった。
【００９１】
更に、本実施形態に係る体重計１００では、
・２つの測定部においてそれぞれ取得された重さデータを、独立して処理する構成とした。
【００９２】
これにより、２つの測定部それぞれの体重データを表示させることが可能となった。また、右足側の重心位置、左足側の重心位置をそれぞれ表示させることが可能となった。
【００９３】
［第２の実施形態］
上記第１の実施形態では、インタフェース部４０７として、外部装置との接続を有線により行うこととしたが、本発明はこれに限られず、無線により行うように構成してもよい。
【００９４】
また、上記第１の実施形態では、測定データをメモリ部４０６に書きこむ構成としたが、本発明はこれに限定されず、例えば、ＲＦＩＤタグに書きこむ構成としてもよい。この場合、インタフェース部４０７は不要となり、外部のＲＦＩＤリーダに、体重計１００を近づけるだけで、測定データを外部に送信することが可能となる。
【００９５】
また、上記第１の実施形態では、表示部１２３及び操作部１１３を配する構成としたが、本発明はこれに限定されない。例えば、表示部及び操作部の機能を外部装置に持たせ、全体統轄部５０１が外部装置からの指示に基づいて動作し、測定データ制御部５０９が、インタフェース部４０７を介して、測定データをリアルタイムに当該外部装置に送信する構成としても良い。なお、この場合、外部装置との接続は有線に限られず、無線であっても良い。
【００９６】
また、上記第１の実施形態では、導電性ゴムを４つずつ、各頂点位置近傍に配する構成としたが、導電性ゴムの数はこれに限定されるものではなく、また、導電性ゴムの配置もこれに限定されるものではない。
【００９７】
また、上記第１の実施形態では、第１の測定部１１０と第２の測定部１２０とをヒンジ機構により接続する構成としたが、本発明はこれに限定されない。第１の測定部１１０と第２の測定部１２０とを分離可能に接続するように構成してもよい。
【符号の説明】
【００９８】
１００・・・体重計、１１０・・・第１の測定部、１１３・・・操作部、１１４・・・測定モードボタン、１１５・・・表示モードボタン、１１６・・・データ送信ボタン、１１７・・・ゼロ点調整ボタン、１１８・・・矢印キー及び決定キー、１２０・・・第２の測定部、１２３・・・表示部、１３１〜１３３・・・ヒンジ機構、１３４〜１３５・・・接続部、１４１〜１４８・・・導電性ゴム、１５１・・・電源スイッチ、１５２・・・コネクタ、２１１〜２１２・・・電極、４０１〜４０３・・・増幅部、４０４・・・電源部、４０５・・・制御部、４０６・・・メモリ部、４０７・・・インタフェース部、４０８・・・温度センサ、５０１・・・全体統轄部、５０２・・・接続状態確認部、５０３・・・重さデータ入力部、５０４・・・重さデータ補正部、５０５・・・体重算出部、５０６・・・重心Ａ算出部、５０７・・・重心Ｂ算出部、５０８・・・重心ＡＢ算出部、５０９・・・測定データ制御部、５１１・・・温度データ入力部、５１２・・・温度算出部、８０４・・・電源マーク、８０５・・・接続マーク、８０６・・・日時マーク
【図１】
0005465964.tif 000002
【図２】
0005465964.tif 000003
【図３】
0005465964.tif 000004
【図４】
0005465964.tif 000005
【図５】
0005465964.tif 000006
【図６】
0005465964.tif 000007
【図７】
0005465964.tif 000008
【図８】
0005465964.tif 000009